(57)【要約】      （修正有）【課題】長期間使用しても使用者が清掃を意識することなく、また外観を損なうことなく、塵埃の器体内部への侵入を防止でき、吸気口に塵埃が堆積するのを防ぎ、信頼性を向上させた誘導加熱調理器を提供する。【解決手段】本体の上面に配置したトッププレート１と、該トッププレート１の下方に配置した加熱コイルと、該加熱コイルを駆動制御する基板と、前記加熱コイルと前記基板を冷却するファン装置を備えており、前記ファン装置に器体外部の空気を供給するために設けた吸気口と、前記吸気口の外側に埃の侵入を防止するフィルタ２１と、該フィルタ２１を清掃する清掃部材２２と、該清掃部材２２又は前記フィルタ２１を動作させる作動装置を具備する。【選択図】図６
2013109850.tif 000002
【特許請求の範囲】
【請求項１】
本体の上面に配置したトッププレートと、このトッププレートの下方に配置した加熱コイルと、この加熱コイルを駆動制御する基板と、前記加熱コイルと前記基板を冷却するファン装置と、前記本体の前面側に出没する操作部とを備えた誘導加熱調理器において、
前記ファン装置に外部の空気を供給するために設けた吸気口と、この吸気口から流入する前記空気に含まれた埃の侵入を防止するために設けられたフィルタと、このフィルタを清掃する清掃部材とを備え、
この清掃部材又は前記フィルタを前記操作部の動作で作動させる作動装置を設けたことを特徴とした誘導加熱調理器。
【請求項２】
請求項１に記載の誘導加熱調理器において、
前記動作装置から前記清掃部材又は前記フィルタに動力を伝達する動力伝達手段を設けたことを特徴とする誘導加熱調理器。
【請求項３】
請求項１に記載の誘導加熱調理器において、
前記フィルタはフィルタ面の形状が円弧状であることを特徴とする誘導加熱調理器。
【請求項４】
請求項１に記載の誘導加熱調理器において、
前記操作部は底辺部を回転軸として前記本体の前面側に回転して出没するとともに、
前記清掃部材は前記回転軸と連結し、前記操作部の回転にともなって作動して前記フィルタを清掃することを特徴とする誘導加熱調理器。
【請求項５】
請求項１に記載の誘導加熱調理器において、
前記清掃部材は先端にブラシを取り付けた枠によって形成されていることを特徴とする誘導加熱調理器。
【請求項６】
請求項１又は５のいずれかに記載の誘導加熱調理器において、
前記清掃部材は前記枠を複数組み合わせてほぼ円筒形状となっていることを特徴とする誘導加熱調理器。
【請求項７】
請求項１に記載の誘導加熱調理器において、
前記フィルタの一端は前記本体に弾性部材を介して接続され、他端は前記操作部の回転軸に取り付けられた歯車に接触するとともに、
前記歯車の回転によって前記フィルタは振動することを特徴とする誘導加熱調理器。
【請求項８】
本体の上面に配置したトッププレートと、このトッププレートの下方に配置した加熱コイルと、この加熱コイルを駆動制御する基板と、前記加熱コイルと前記基板を冷却するファン装置と、前記本体の前面側に出没するグリル庫用の扉とを備えた誘導加熱調理器において、
前記ファン装置に外部の空気を供給するために設けた吸気口と、この吸気口から流入する前記空気に含まれた埃の侵入を防止するために設けられたフィルタと、このフィルタを清掃する清掃部材とを備え、
この清掃部材又は前記フィルタを前記扉の動作で作動させる作動装置を設けたことを特徴とする誘導加熱調理器。
【請求項９】
請求項８に記載の誘導加熱調理器において、
前記扉は前記本体の内部方向に伸びるスライドレールを備えており、このスライドレールに取り付けられたラックと前記清掃部材に取り付けられた歯車とが接続されとともに、
前記扉が開閉されることにより前記清掃部材が回転することを特徴とする誘導加熱調理器。
【発明の詳細な説明】
【技術分野】
【０００１】
本発明は、誘導加熱調理器に関する。
【背景技術】
【０００２】
誘導加熱調理器は、高周波電流を誘導加熱コイルに流して発生させた磁力線が、金属製鍋を通過する際、鍋底に発生する渦電流によるジュール熱を利用して加熱調理を行うものである。  
このような誘導加熱調理器の加熱時には、鍋のみならず誘導加熱コイルや誘導加熱コイルを制御する制御基板上の電子部品が発熱するため、送風機から冷却風を送風して誘導加熱コイルや制御基板を冷却している。このため一般的には、調理器の外郭に送風機へ空気を取り込むための吸気口が設けられている。
【０００３】
この吸気口は誘導加熱調理器によって様々な箇所に設けられるが、吸気口の位置によっては塵埃を吸引し、吸気口が塞がれてしまい冷却性能の低下や、内部部品の損傷の原因となる恐れがある。そのため従来の誘導加熱調理器では防塵フィルタを有しているものや吸気口に堆積した塵埃を取り除く機構を取り付けているものがある。
【０００４】
防塵フィルタを有している誘導加熱調理器の一例として特許文献１がある。この特許文献１の図１に示されているように、本体１２の下面に指が入らない程度の複数の小孔からなる吸気口１３を設け、前記吸気口１３の外側に前記吸気口１３より径の小さい複数の小孔を設けた防塵フィルタ１７を着脱自在に設けた誘導加熱調理器となっている。
【０００５】
吸気口に堆積した塵埃を取り除く機構を有している誘導加熱調理器の一例として特許文献２がある。この特許文献２では同文献の図５又は図６等で説明されるように、本体前面に設けた開閉式の操作部１８と操作部ケース２０の隙間２１を吸気口とすることにより、前記操作部１８の開閉の際に隙間２１に付着した埃を落とす機能と凸部２２によって隙間２１に付着堆積した埃をかきだす機能を有している誘導加熱調理器となっている。
【先行技術文献】
【特許文献】
【０００６】
【特許文献１】特許第３２４６２７２号公報（第４項、図１）
【特許文献２】特開２０１０−５５７５８号公報（第１０項、図５、図６）
【発明の概要】
【発明が解決しようとする課題】
【０００７】
しかしながら特許文献１では、防塵フィルタに堆積した塵埃を使用者が定期的に清掃することが必要である。そのため、使用者が防塵フィルタを清掃せずに長期間使用した場合、防塵フィルタに堆積した塵埃が吸気口を封鎖しまい、送風機の冷却風量が低下させてしまい、加熱温度の調節機能や加熱出力を維持するなどの性能や冷却不足による電子部品の信頼性が損なわれるという課題を有していた。
【０００８】
また特許文献２では、防塵フィルタを有していないため、吸気口に相当する隙間２１に直接塵埃が付着してしまう。そのため特許文献２では前面操作部３の開閉操作にて隙間２１に堆積した埃を落とす機能があるが、隙間２１の壁面に接触して直接清掃するものではないため、堆積した埃を確実に落とすことができない可能性があった。また塵埃が操作部１８の左右の側壁に付着した場合は、隙間２１が５ｍｍ程度と狭いこともあり、開閉操作によって隙間２１の左右が塵埃により塞がれる恐れがある。また埃をかきとる凸部２２が隙間２１の上側にしか設けられていないため、凸部２２の左右や隙間２１の下側に詰まった埃をかきだすことも難しく、隙間２１に一度堆積した塵埃が器体内部へ侵入する恐れがある。さらに隙間２１から吸気していることにより、塵埃が操作用押しボタン部２３や器体前面の前面板２１に付着し易く、機器の外観を損ねるという課題も有している。
【０００９】
本発明の目的は、長期間使用しても使用者が清掃を意識することなく、また外観を損なうことなく、塵埃の器体内部への侵入を防止でき、吸気口に塵埃が堆積するのを防ぐことで信頼性を向上させた誘導加熱調理器を提供することにある。
【課題を解決するための手段】
【００１０】
上記目的を達成するために本発明は、本体の上面に配置したトッププレートと、このトッププレートの下方に配置した加熱コイルと、この加熱コイルを駆動制御する基板と、前記加熱コイルと前記基板を冷却するファン装置と、前記本体の前面側に出没する操作部とを備えた誘導加熱調理器において、前記ファン装置に外部の空気を供給するために設けた吸気口と、この吸気口から流入する前記空気に含まれた埃の侵入を防止するために設けられたフィルタと、このフィルタを清掃する清掃部材とを備え、この清掃部材又は前記フィルタを前記操作部の動作で作動させる作動装置を設けたものである。
【００１１】
また上記目的を達成するために本発明は好ましくは、前記動作装置から前記清掃部材又は前記フィルタに動力を伝達する動力伝達手段を設けると良い。
【００１２】
また上記目的を達成するために本発明は好ましくは、前記フィルタはフィルタ面の形状が円弧状であると良い。
【００１３】
また上記目的を達成するために本発明は好ましくは、前記操作部は底辺部を回転軸として前記本体の前面側に回転して出没するとともに、前記清掃部材は前記回転軸と連結し、前記操作部の回転にともなって作動して前記フィルタを清掃すると良い。
【００１４】
また上記目的を達成するために本発明は好ましくは、前記清掃部材は先端にブラシを取り付けた枠によって形成されると良い。
【００１５】
また上記目的を達成するために本発明は好ましくは、前記清掃部材は前記枠を複数組み合わせてほぼ円筒形状となっていると良い。
【００１６】
また上記目的を達成するために本発明は好ましくは、前記フィルタの一端は前記本体に弾性部材を介して接続され、他端は前記操作部の回転軸に取り付けられた歯車に接触するとともに、前記歯車の回転によって前記フィルタは振動すると良い。
【００１７】
また上記目的を達成するために本発明は、本体の上面に配置したトッププレートと、このトッププレートの下方に配置した加熱コイルと、この加熱コイルを駆動制御する基板と、前記加熱コイルと前記基板を冷却するファン装置と、前記本体の前面側に出没するグリル庫用の扉とを備えた誘導加熱調理器において、前記ファン装置に外部の空気を供給するために設けた吸気口と、この吸気口から流入する前記空気に含まれた埃の侵入を防止するために設けられたフィルタと、このフィルタを清掃する清掃部材とを備え、この清掃部材又は前記フィルタを前記扉の動作で作動させる作動装置を設けたものである。
【００１８】
また上記目的を達成するために本発明は好ましくは、前記扉は前記本体の内部方向に伸びるスライドレールを備えており、このスライドレールに取り付けられたラックと前記清掃部材に取り付けられた歯車とが接続されとともに、前記扉が開閉されることにより前記清掃部材が回転すると良い。
【発明の効果】
【００１９】
本発明によれば、長期間使用しても使用者が清掃を意識することなく、また外観を損なうことなく、塵埃の器体内部への侵入を防止でき、吸気口に塵埃が堆積するのを防ぐことで信頼性を向上させた誘導加熱調理器を提供できる。
【図面の簡単な説明】
【００２０】
【図１】本発明に係る誘導加熱調理器の全体斜視図である。
【図２】本発明に係る誘導加熱調理器を分解した全体構成の斜視図である。
【図３】本発明に係る誘導加熱調理器の一部を切断した側面断面斜視図である。
【図４】本発明の実施例１に係る誘導加熱調理器の防塵フィルタなどを取り外した全体斜視図である。
【図５】本発明の実施例１に係る誘導加熱調理器の一部の側面部分断面図である。
【図６】本発明の実施例１に係る誘導加熱調理器の前面操作部を開けた側面部分断面図である。
【図７】本発明の実施例１に係る誘導加熱調理器に採用される防塵フィルタの斜視図である。
【図８】本発明の実施例１に係る誘導加熱調理器に採用される清掃部材の斜視図である。
【図９】本発明の実施例２に係る誘導加熱調理器の一部を切断した側面部分断面図である。
【図１０】本発明の実施例２に係る誘導加熱調理器の一部を拡大した側面部分断面斜視図である。
【図１１】本発明の実施例１に係る誘導加熱調理器の一部を拡大した側面部分断面図である。
【図１２】本発明の実施例３に係る誘導加熱調理器に採用される清掃部材の斜視図である。
【図１３】本発明の実施例４に係る誘導加熱調理器の部分断面斜視図である。
【発明を実施するための形態】
【００２１】
以下、実施例１〜４に共通する部分を、図面を用いて説明する。  
図１は、３つの誘導加熱部と１つのグリル庫を備え、システムキッチンに組み込んで使用される誘導加熱調理器の外観傾斜図である。図１中の矢印は吸気部と排気部における冷却風の流れを表している。
【００２２】
図１において、ガラス製のトッププレート１は、本体２の上面に設けられ、鍋などの負荷が載置される。本体２前面左側にはグリル庫４が設けられており、その隣には誘導加熱部やグリル庫４を操作する前面操作部３が設けられている。また、トッププレート１の手前側には表示操作部５が配置しており、誘導加熱部の火力を操作できるとともに誘導加熱部の出力状態を液晶で表示し、使用者に加熱出力の強さを伝達する。前面操作部３の上部には電源スイッチ１９が取り付けられている。  
なお、図１に示した矢印は冷却空気の流れであるが、詳細は図３で説明する。
【００２３】
図２は図１で説明した誘導加熱調理器の分解斜視図であり、トッププレート１や前面操作部３を本体から取り外し、インバータ基板と誘導加熱コイルの実装を示したものである。
【００２４】
図３は図２に示した誘導加熱調理器は前面から見て右側の誘導加熱コイル６のほぼ中央で切断した内部断面図であり、図中の矢印は冷却風の流れを示す。なお図３は説明のために部分的に実施例１の形状を示しており、図２と図３では説明のために一部構成を省略している。
【００２５】
図２、図３において、トッププレート１の下方には、右側の誘導加熱部に対応した誘導加熱コイル６、左側の誘導加熱部に対応した誘導加熱コイル７、中央後方の加熱部に対応した誘導加熱コイル８が取り付けられている。これら誘導加熱コイル６，７，８に高周波電流を流すことにより磁力線が発生し、負荷である鍋を加熱することになる。右側の誘導加熱コイル６の下方には、各誘導加熱コイル７，８を制御するインバータ基板９と、このインバータ基板９と各誘導加熱コイル７，８に冷却風を供給するファン装置１０を収納した基板ケース１１を配置されている。
【００２６】
前面操作部３は操作部ケース２０に納められており、その操作部ケース２０底辺部と本体２の底辺部との間に設けられた隙間が吸気口１６となる。この吸気口１６とファン装置吸引口を接続する吸気ダクト１８をキバンケース１１の下面と本体２の間に設けており、吸気口１６から吸気された冷却空気は、吸気ダクト１８を通って図３に示す矢印のようにファン装置吸引口１４へと供給される。吸気口１６には詳細は後述するが、防塵フィルタ２１が取り付けられている。
【００２７】
基板ケース１１内部の後背部には、ファン１２（ターボファン）を備えたファン装置１０が設けられていて、ファン１２をモータ１３で駆動し冷却風を送風する。このファン装置１０は、図３に示すようにファン装置吸気口１４から吸気を行い、複数個の吐出口１５から排気を行うものである。本実施例では、２つの吐出口１５を設けた例を示すが、電子基板や誘導加熱コイルの数や発熱量に応じて、３つ以上の開口部を設けても良い。  
なお、本実施例では、ファン１２として、ファン内径／ファン外径が０．４〜０．７、羽根の出口角度が１１０度以下、羽根の枚数が１５枚以下のターボファンを例に説明を行うが、軸流ファンや多翼ファンなどを用いても良く、ファンの位置についても本実施例以外の位置に配置してもよい。
【００２８】
次に、本実施例における冷却風の流れについて説明する。  
図３に示すように前面操作部３が収められた操作部ケース２０と本体２の底面間に設けられた吸気口１６は、本体２内部の冷却風の入口となる。  
なお、ここでは吸気口１６を本体２前面の前面操作部３の下方に設けたが、本体の背面や側面などに設けてもよい。
【００２９】
この吸気口１６から吸気された冷却風は、吸気ダクト１８を通って、ファン装置吸込口１４に導かれる。ファン装置吸込口１４より取り込まれた空気は、ファンモータ１３の駆動によるファン１２が回転することで、ファン１２内で９０度流れの偏向をした後、ファン装置１０内でさらに９０度流れを偏向し、吐出口１５から吐き出される。ファン装置１０の下流側には、各誘導加熱コイルに対応したインバータ基板９を積み重ねて配置しており、ファン装置１０から吹き出した冷却風は、図３の矢印に示すように、インバータ基板９や各誘導加熱コイルを冷却する。インバータ基板９及び各誘導加熱コイルを冷却した冷却風は、本体２後部上面に設けられた排気口１７を抜けて外部に排出される。図２に示すように、本実施例では排気口１７の開口穴は２つであるが、風量、圧損などに応じて１つにしても、３つ以上開けてもよい。
【００３０】
以上の構成において、鍋を右側の誘導加熱部上に載置して調理する場合の全体の動作を簡単に説明する。  
まず、右側の誘導加熱コイル６上方のトッププレート１上に鍋（図示せず）を載置し、電源スイッチ２０をオンし、右側の誘導加熱部に対応した出力調整を表示操作部５で出力を調節する。インバータ基板９の制御部は、右の誘導加熱コイル６に高周波電流を流し、誘導加熱コイル６から磁力線を発生させ、鍋を加熱すると同時に、制御部はファン１２も駆動する。駆動したファン１２は、吸気口１６から冷却するための空気を吸気し、冷却風をインバータ基板９及び各誘導加熱コイルに吹付けることにより冷却する。その後、本体２のトッププレート上後部に設けられた排気口１７から外気に排気される。
【００３１】
つまり、図１又は図３の矢印で示すように、吸気口１６から吸い込まれた空気はインバータ基板９及び各誘導加熱コイルを冷却した後、排気口１７から外気に放出される。
【００３２】
さて、上述したが吸気口１６は誘導加熱調理器周囲の空気を取り込んでいるため空気と一緒に空気中の塵埃まで吸い込んでしまう。吸い込んでしまった塵埃は吸気ダクト１８を通り、冷却すべきインバータ基板９に堆積してしまい電気的障害を引き起こす可能性があった。
【００３３】
そこで本発明の発明者らは前面操作部の動きや、グリル庫の扉の動きを利用して吸気フィルタに付着した塵埃を掻き落とすことを考えた結果、以下のごとき実施例を得た。
【００３４】
以下、本発明に係る塵埃掻き落とし構造を図にしたがって詳細について説明する。
【実施例１】
【００３５】
図４は実施例１における前面操作部３の開状態と、防塵フィルタ２１と清掃部材２２の位置を説明するための分解斜視図であり、前面操作部３と防塵フィルタ２１を取り外した状態を示す。
【００３６】
また図５、図６は本実施例における前面操作部３の開閉動作に伴って、防塵フィルタ２１を清掃部材２２が清掃する作用を説明するためのものである。図５は前面操作部３が閉じられている状態、図６は前面操作部３を全開にした様子を示している。説明のために一部省略している部分がある。
【００３７】
さらに図７、図８は防塵フィルタ２１と清掃部材２２の形状を説明するためのものである。図７の破線は防塵フィルタ全体にわたって開口されている小孔を簡便のため省略していることを示す。図８に示す矢印は吸気の流れを示す。
【００３８】
図４又は図５、図６において、本実施例では前面操作部３は図５，図６，図７，図８に示した固定ピン２３によって下端部を操作部ケース２０に取り付けられており、固定ピン２３を中心にして回動して操作面が使用者側に露出するようになっている。防塵フィルタ２１は、図７に示すように円弧状の面に複数の小孔を設けたものであり、図４に示すように、前面操作部３の前端より内側に、吸気口１６より外側に、吸気口１６を覆うように固定して設けられている。
【００３９】
本実施例では防塵フィルタ２１の円弧の中心は固定ピン２３の軸中心とし、小孔の径は３ｍｍ程度のもので、開口率が５０％程度の打抜金網を用いている。
【００４０】
清掃部材２２は図８に示すようなフレーム状の構造体（枠）によって開口２２ａが形成されている。この清掃部材２２は前面操作部３の下部に器体内側へ突出した形で固定されているが、図８の矢印で吸気流路を示す通り、開口２２ａを設けたので前面操作部３の回動中に清掃部材２２がどの場所に位置していても吸気を妨げない構造となっている。また清掃部材２２の先端部２４は５ｍｍ程度の長さの複数の毛羽からなるブラシ２４ａが取り付けられている。
【００４１】
まず防塵フィルタ２１を設けたことよる作用を説明する。  
防塵フィルタ２１は複数の小孔を設けていることにより冷却風と共に吸気された塵埃を分離、捕獲し、機体内部への侵入を防止することができる。  
本実施例では複数の小孔を開口したものを用いているが、メッシュ状の金網や複数のスリットを設けたものなどでもよい。また前面操作部３の前面よりも器体の内側に設けているために、捕獲した塵埃が防塵フィルタ２１の表面に付着堆積しても、前面操作部３に隠れて外観を損なうことがない。さらに後述の様に、防塵フィルタ２１を円弧状にすることによって清掃部材２２が清掃する際にブラシに加わる力が一定となり、よりいっそう清掃性を高めている。
【００４２】
次に清掃部材２２を設けたことによる作用を説明する。  
機器を操作するために前面操作部３を回動開閉した際、清掃部材２２は前面操作部３に固定されているため、回動開閉と同時に清掃部材２２も回動する。この前面操作部３の回動運動により清掃部材２２の先端部２４に取り付けられたブラシ２４ａが円弧状の軌跡を描いて動く。この動きは防塵フィルタ２１の円弧半径をその軌跡と同じ円弧半径にすることになるため、清掃部材２２の回動の際に防塵フィルタ２１の機体外面側に付着した塵埃を防塵フィルタ２１の塵埃が付着する面にそって、一定の力でこすり落とすことができる。すなわち、清掃部材２２を設けることにより、前面操作部３を操作する際の動力を利用して、防塵フィルタ２１を清掃することができる。つまり、使用者は前面操作部３を開閉動作させるたびに、気付かないうちに防塵フィルタ２１の清掃が行われることになる。
【００４３】
以上のごとく本実施例によれば、防塵フィルタを清掃するための動力発生装置を新たに追加する必要がなく、また使用者は機器を操作するために前面操作部３を動作させることができる。この動作によって使用者に防塵フィルタ２１を清掃していることを意識させることなく、防塵フィルタ２１を清掃することを可能である。
【００４４】
また特許文献１の様に、使用者が防塵フィルタを取り外し清掃する必要がないために、防塵フィルタ２１を外観が損なわない様に視認性のない場所に設置しても問題なく清掃することができる。さらに清掃部材２２はフレーム状による開口２２ａを設けたことにより、清掃部材が可動範囲のどの位置に来ても気流路を妨げるばかりでなく、簡単な構造で清掃部材２２を前面操作部３に接続することができる。また、清掃部材２２によって防塵フィルタ２１から取り除かれた塵埃を器体外へ落とし、排出することもより容易に行うことができる。
【実施例２】
【００４５】
図９、図１０に実施例２の構成を示す。  
実施例２は、実施例１の防塵フィルタ２１と清掃部材２２に代え、防塵フィルタ２１ｂと動力伝達装置２５を用いた変形例であり、実施例１と同等の構成には同一符号を付し説明を省略することとする。
【００４６】
図９は図１０に示す本実施例の構成を示すために歯車の周方向を含む平面で切断したものである。
【００４７】
図９、図１０において、防塵フィルタ２１ｂは図１０に示すように、複数の小孔を開口した板状形状となっている。この防塵フィルタ２１ｂと本体との接続部には板ばね２６ｇは取り付けられている。この板ばね２６ｇによって防塵フィルタ２１ｂを前面操作部３の前端より内側に、吸気口１６より外側に位置して本体２の下面から吸気口１６を覆うように傾斜させて押し付けるようになっている。防塵フィルタ２１ｂの他方の辺は操作部ケース２０の側壁に取り付けられた第２の歯車２８に接触している。この第２の歯車２８は第１の歯車２７を介して操作部ケース２０の側壁に取り付けられたラック２９に噛み合っている。これらの歯車２７と２８及びラック２９を動力伝達装置２５という。
【００４８】
本実施例による防塵フィルタ２１ｂに形成された小孔の径は３ｍｍ程度のもので、開口率が５０％程度の打抜金網を用いている。また動力伝達装置２５は前面操作部３の開閉動作を防塵フィルタ２１ｂに伝えるためのもので、第１の歯車２７、第２の歯車２８とラック２９からなる。ラック２９は前面操作部３の側面に固定されており、前面操作部３の開閉操作と同時に作動する。第１の歯車２７と第２の歯車２８は操作部ケース２０に固定された回転軸を中心に回転する。前面操作部３が回動する際、ラック２９は第１の歯車２７を回転させ、第１の歯車２７は第２の歯車２８を回転させる。第２の歯車２８は防塵フィルタ２１ｂの端部を動かし、ある程度端部が変位すると、第２の歯車２８から防塵フィルタ２１ｂの端部が離れて、板ばね２６の復元力により防塵フィルタ２１ｂは元の位置に戻る。この往復運動により、防塵フィルタ２１ｂを振動させて、防塵フィルタ２１ｂの集塵面に堆積した塵埃を器体下側に落とすことができる。
【００４９】
以上ごとく本実施例によれば、防塵フィルタ２１ｂ自体を振動させて清掃を行うため、防塵フィルタの付近に清掃部材のような清掃装置を設ける必要がなく、防塵フィルタまわりを単純化できることによって、吸気圧損を低減することができる。さらに防塵フィルタ２１ｂをその集塵面を下側に向け、鉛直面に対し斜めに傾斜して取りつけることにより、塵埃がフィルタ面から落下し易くすることができる。また動力伝達装置２５を設けることにより、前面操作部３が開く際に急激に回動するのを抑えるダンピングの効果が得られる。これにより前面操作部３が穏やかに開閉し、部品耐久性や使いやすさを向上させることができる。
【実施例３】
【００５０】
図１１に実施例３の構成を示す。  
実施例３は、実施例１の清掃部材２２に代え、清掃部材２２ｃと動力伝達装置２５ｃを用いた変形例であり、実施例１と同等の構成には同一符号を付し説明を省略することとする。
【００５１】
清掃部材２２ｃは図１２に示すようにフレーム（枠）の先端にブラシ２２ｄを取りつけたものを複数組み合わせた円筒形の形状のもので、防塵フィルタ２１より外側に円筒の中心軸を中心に回転するように設けられている。先端に設けられたブラシ２２ｄは５ｍｍ程度の長さの複数の毛羽からなっている。またブラシ２２ｄ間は開口２２ｅとなっているので、フレーム間を通る吸気流を妨げることはない。
【００５２】
動力伝達装置２５ｃは前面操作部３の開閉動作を清掃部材２２ｃに伝えるためのもので、第１の歯車２７ｃ、第２の歯車２８ｃ、第３の歯車３０ｃとラック２９ｃからなる。ラック２９ｃは前面操作部３の側面に固定されており、前面操作部３の開閉操作と同時に作動する。第１の歯車２７ｃと第２の歯車２８ｃは操作部ケース２０に固定された回転軸を中心に回転する。
【００５３】
前面操作部３が回動する際、ラック２９ｃは第１の歯車２７ｃを回転させ、第１の歯車２７ｃは第２の歯車２８ｃを回転させる。第２の歯車２８ｃはさらに清掃部材２２ｃに取りつけられた第３の歯車３０ｃを回転させて、清掃部材２２ｃを回転させることになる。このとき、第１の歯車２７ｃ、第２の歯車２８ｃ、第３の歯車３０ｃの歯数を調節し、前面操作部３が完全に開いた状態になるまでに、清掃部材２２ｃが複数回回転するようにする。
【００５４】
以上ごとく本実施例によれば、清掃部材２２ｃが少なくとも一回転すると、清掃部材２２ｃに設けた複数個のブラシが防塵フィルタ２１を清掃するので、防塵フィルタ２１の表面に付着した塵埃をブラシで払い落す回数が増え、より清掃性を向上することができる。
【実施例４】
【００５５】
図１３に実施例４の構成を示す。  
実施例４は、実施例３の前面操作部３と動力伝達装置２５ｃに代え、スライドレール３２と動力伝達装置２５ｄを用いた変形例であり、実施例３と同等の構成には同一符号を付し説明を省略することとする。
【００５６】
図１３において、スライドレール３２から動力伝達装置２５ｄを使って清掃部材２２ｃを回転させる機構を説明するためのもので、前面操作部３と操作部ケース２０を取り外しており、グリル庫を部分的に切り欠いている部分断面図としている。また簡便のために一部省略している。
【００５７】
スライドレール３２は図１１に示すように、グリルドア３１を開閉するためのものであり、前後に可動するレールとその収納部をグリル庫４の左右下方に１個ずつ設け、グリルドア３１に接続されている。動力伝達装置２５ｄは、開閉式のグリルドア３１の開閉動作時の動力を防塵フィルタ２１ｂに伝達するための装置であり、スライドレール３２に取り付けられたラック２９ｄと清掃部材２２ｃに取りつけられた歯車３０ｄからなる。
【００５８】
グリルドアを開閉すると、スライドレール３２が前後に移動し、同時にスライドレールに固定されたラック２９ｄも前後に移動する。ラック２９ｄは歯車３０ｄに動力を伝達し回転させ、歯車３０ｄに取り付けられた清掃部材２２ｃを回転させることによって、清掃部材２２ｃ（本実施例に記載した清掃部材は図１２の清掃部材とほぼ同等品）に設けられた複数のブラシ（図示せず）が防塵フィルタ２１を清掃するようになっている。
【００５９】
すなわち、本実施例では清掃部材２２ｃを動作させる動力としてグリルドア３１を開閉する際の動力を利用するものである。グリルドア３１の開閉はスライドレールの全長が約300ｍｍ程度と長いため、可動範囲が広く、一度の開閉動作で清掃部材をより多く回転することができ、清掃性を高めることができる。
【００６０】
またスライドレール３２がグリル庫内奥、すなわち器体内部まで到達しているため、動力を取り出す位置が限られず、また器体背面に吸気口を開口した場合に於いてもそれに対応した防塵フィルタを設けることが考えられるが、このような場合に於いてもグリルドア３１をその防塵フィルタ２１を清掃する動力源とすることができる。本実施例では実施例３の変形例を示したが、同様に実施例２の防塵フィルタ２１ｂをグリルドア３１の開閉動作を利用して動作させてもよい。
【符号の説明】
【００６１】
１…トッププレート、２…本体、３…前面操作部、４…グリル庫、５…表示操作部、６…誘導加熱コイル（右）、７…誘導加熱コイル（左）、８…誘導加熱コイル（中央）、９…インバータ基板、１０…ファン装置、１１…基盤ケース、１２…ファン、１３…ファンケース１４…ファン装置吸引口、１５…吐出口、１６…吸気口、１７…排気口、１８…吸気ダクト、１９…電源スイッチ、２０…操作部ケース、２１…防塵フィルタ、２２…清掃部材、２３…固定ピン、２４…先端部、２５…動力伝達装置、２６…板ばね、２７…第１の歯車、２８…第２の歯車、２９…ラック、３０…第３の歯車、３１…グリルドア、３２…スライドレール。
【図１】
2013109850.tif 000003
【図２】
2013109850.tif 000004
【図３】
2013109850.tif 000005
【図４】
2013109850.tif 000006
【図５】
2013109850.tif 000007
【図６】
2013109850.tif 000008
【図７】
2013109850.tif 000009
【図８】
2013109850.tif 000010
【図９】
2013109850.tif 000011
【図１０】
2013109850.tif 000012
【図１１】
2013109850.tif 000013
【図１２】
2013109850.tif 000014
【図１３】
2013109850.tif 000015